(57)【要約】      （修正有）【課題】顧客の所在位置を簡便で迅速に表示する顧客地図システムを提供する。【解決手段】郵便番号と住宅地図データベースを備え、地図検索を行うメインコンピュータ１１と、複数の顧客の所在を表す郵便番号、住所を入力する少なくとも１つのサブコンピュータ１２ａ〜１２ｎと、メインコンピュータ１１に接続され前記地図検索処理の結果を出力する手段１１ａ、１３とから構成され、前記メインコンピュータ１１は、所定の地図領域をマトリックス状に分割した分割地図データを記憶する分割地図データ記憶手段Ｓ１３と、各顧客の居所に対応する緯度経度を検索し、当該緯度経度に顧客を識別するマークを付して前記分割地図データに戻す顧客所在地マーク手段Ｓ１３と、この戻された分割地図データを所定の縮尺及び表示サイズで表示する手段とからなり、1ページの地図に複数の顧客の居所がマーク表示された地図表示。【選択図】図１
2005266698.tif 000002
【特許請求の範囲】
【請求項１】
郵便番号データベース及び住宅地図データベースを備え、地図検索処理を行うメインコンピュータと、
複数の顧客の所在地を表す郵便番号、及び丁目・番地・住戸番号の小字番号からなる顧客所在地データを入力する少なくとも１つのサブコンピュータと、
前記メインコンピュータに接続され、前記地図検索処理の結果を出力する表示手段とから構成され、
前記メインコンピュータは、前記住宅地図データベースに含まれる地図イメージデータから、所定の地図領域をマトリックス状に分割区分した分割地図データを記憶する分割地図データ記憶手段と、
前記郵便番号データベース及び前記住宅地図データベースに含まれる地図住宅テーブルから、前記入力された顧客所在地データの各顧客の所在地に対応する緯度経度データを抽出し、顧客毎に関係付けて保存する緯度経度情報記憶手段と、
この緯度経度情報記憶手段に記憶された顧客毎に、その所在地の緯度経度データに対応する前記分割地図データを検索し、当該緯度経度に顧客を識別するマークを付して、前記分割地図データ記憶手段に戻す顧客所在地マーク手段と、
前記分割地図データ記憶手段の前記マークが付された各分割地図データを選択して前記表示手段に出力する表示出力手段とからなることを特徴とする顧客地図システム。
【請求項２】
前記表示手段は、地図印刷を行うプリンタであって、前記顧客所在地データに入力した顧客数以下のページ数で顧客位置表示地図を、所定の縮尺及び紙面サイズで印刷出力することを特徴とする請求項1記載の顧客地図システム。
【請求項３】
前記サブコンピュータ手段で入力された顧客の所在地に関するデータが、前記メインコンピュータの構築するローカルエリアネットワーク接続を介して転送され、前記地図検索処理されることを特徴とする請求項１または２記載の顧客地図システム。
【請求項４】
前記サブコンピュータ手段で入力された顧客の所在地に関するデータが、記憶媒体に一時記録されて、この記憶媒体から前記メインコンピュータが前記データを読み出して、前記地図検索処理されることを特徴とする請求項１または２記載の顧客地図システム。
【請求項５】
少なくとも１つのサブコンピュータにより、複数の顧客の所在地を表す郵便番号、及び丁目・番地・住戸番号の小字番号からなる顧客所在地データを入力するステップと、
郵便番号データベース及び住宅地図データベースを備え、地図検索処理を行うメインコンピュータに、前記顧客所在地データを引き渡す入力ステップと、
前記住宅地図データベースに含まれる地図イメージデータから、所定の地図領域をマトリックス状に分割区分した分割地図データを記憶する分割地図データ記憶ステップと、
前記郵便番号データベース及び前記住宅地図データベースに含まれる地図住宅テーブルから、前記入力ステップによる顧客所在地データの各顧客の所在地に応対する緯度経度データを抽出し、顧客毎に関係付けて保存する緯度経度情報記憶ステップと、
この緯度経度情報記憶ステップで記憶された顧客毎に、その所在地の緯度経度データに対応する前記分割地図データを検索し、当該緯度経度に顧客を識別するマークを付して、前記分割地図データ記憶手段に戻す顧客所在地マークステップと、
前記顧客所在地マークステップで前記マークが付された各分割地図データ選択して、前記メインコンピュータに接続される出力表示手段に、所定の縮尺及びサイズで出力する表示出力ステップとからなることを特徴とする顧客地図システム。
【発明の詳細な説明】
【技術分野】
【０００１】
本発明は、特定の地域に分散する顧客に対する訪問営業或いは集配業務、又は緊急出動する消防業務、警察業務、救急業務に係わり、担当者に対象顧客の所在位置、或いは署員・職員の出動先地点を認知する地図検索システムに関するものである。
【背景技術】
【０００２】
広く一般に行なわれている種々の業務形態の中に、担当者が特定の地域の顧客を個々に訪問して、営業活動や、或いは小口貨物の取扱い・集配サービスを行なうことがある。
【０００３】
これ等の訪問営業業務は、通常、固定客を定期的に巡回・訪問する専任担当者が営業活動を行なうことが多い。しかし、一方、専任担当者ではない特定任務の担当者が、特命で顧客を訪問して営業する場合がある。また専任担当者であっても、書留や速達などの通常の業務と異なる特殊郵便物や、小口貨物（宅配便）などの配達・集貨の業務のような、非固定の顧客を散発的に訪問する業務が行なわれる場合もある。従来、このような非固定の顧客の訪問業務形態では、顧客の所在位置を知るために、住宅地図図書またはこれ等のコピー、手書きメモなどを持参して、現地において当該顧客先を探し当て、顧客と対面した業務が遂行される。
【０００４】
更に、最近では、デジタルデータ化された地図が、パーソナルコンピュータやＧＰＳ装置に組み込まれて、携帯持参し、参照することも行なわれている（例えば、特許文献１参照。）。
【０００５】
しかし、訪問営業担当者、或いは集配業務担当者のそれぞれに、地図検索システムを搭載するコンピュータ端末を充当するには、地図検索システム（アプリケーションソフト）は高価であり、設備コストが嵩むことになる。更にこの地図検索システムを作動させるコンピュータ端末は、大量の地図データを保持するために大容量記憶装置を備えるか、通信機能を備えて遠隔から地図データを処理する機能を備えるものであることが必要となり、これ等の機器を設備し、担当者に携行させるには、設備コストが益々嵩むことになる。
【０００６】
また、従来のコンピュータによる地図検索アプリケーションでは、都道府県レベルの大きい領域から順に小さい地域へ、数回の検索を会話型で繰り返して、対象の地図に絞り込む操作手順を要し、１件の検索が煩雑で時間も要する。さらに、複数の検索は、共通する大字名或いは小字まで遡ってデータ入力を行なうので、地域がランダムに並べられた顧客のリストなどを参照して位置を検索する場合には、不向きであった。
【特許文献１】特開２００１−２０９７１２号公報
【発明の開示】
【発明が解決しようとする課題】
【０００７】
解決しようとする問題点は、顧客先を訪問して営業活動を行なう、或いは郵便物、物品の集配業務を行う場合に、顧客の居住位置の情報を解り易く、更に設備コストを抑えて担当者に提示することである。
【０００８】
本発明は上記のような従来の問題点に鑑みてなされたもので、重複する高価な地図システム、或いは高価な携帯情報端末機器の使用すること無く、訪問対象の複数の顧客の所在位置を、担当者の操作の繰り返しを少なく簡便にして、かつ迅速に提示する顧客地図システムの提供を目的とする。
【課題を解決するための手段】
【０００９】
本発明の顧客地図システムは、郵便番号データベース及び住宅地図データベースを備え、地図検索処理を行うメインコンピュータと、複数の顧客の所在地を表す郵便番号、及び丁目・番地・住戸番号の小字番号からなる顧客所在地データを入力する少なくとも１つのサブコンピュータと、前記メインコンピュータに接続され、前記地図検索処理の結果を出力する表示手段とから構成され、前記メインコンピュータは、前記住宅地図データベースに含まれる地図イメージデータから、所定の地図領域をマトリックス状に分割区分した分割地図データを記憶する分割地図データ記憶手段と、前記郵便番号データベース及び前記住宅地図データベースに含まれる地図住宅テーブルから、前記入力された顧客所在地データの各顧客の所在地に対応する緯度経度データを抽出し、顧客毎に関係付けて保存する緯度経度情報記憶手段と、この緯度経度情報記憶手段に記憶された顧客毎に、その所在地の緯度経度データに対応する前記分割地図データを検索し、当該緯度経度に顧客を識別するマークを付して、前記分割地図データ記憶手段に戻す顧客所在地マーク手段と、前記分割地図データ記憶手段の前記マークが付された各分割地図データを選択して前記表示手段に出力する表示出力手段とからなることを特徴とするものである。
【００１０】
さらに、前記表示手段は、地図印刷を行うプリンタであって、前記顧客所在地データに入力した顧客数以下のページ数で顧客位置表示地図を、所定の縮尺及び紙面サイズで印刷出力することを特徴とするものである。
【００１１】
さらに、前記サブコンピュータ手段で入力された顧客の所在地に関するデータが、前記メインコンピュータの構築するローカルエリアネットワーク接続を介して転送され、前記地図検索処理されることを特徴とするものである。
【００１２】
さらに、前記サブコンピュータ手段で入力された顧客の所在地に関するデータが、記憶媒体に一時記録されて、この記憶媒体から前記メインコンピュータが前記データを読み出して、前記地図検索処理されることを特徴とするものである。
【００１３】
また、本発明の顧客地図システムは、少なくとも１つのサブコンピュータにより、複数の顧客の所在地を表す郵便番号、及び丁目・番地・住戸番号の小字番号からなる顧客所在地データを入力するステップと、郵便番号データベース及び住宅地図データベースを備え、地図検索処理を行うメインコンピュータに、前記顧客所在地データを引き渡す入力ステップと、前記住宅地図データベースに含まれる地図イメージデータから、所定の地図領域をマトリックス状に分割区分した分割地図データを記憶する分割地図データ記憶ステップと、前記郵便番号データベース及び前記住宅地図データベースに含まれる地図住宅テーブルから、前記入力ステップによる顧客所在地データの各顧客の所在地に応対する緯度経度データを抽出し、顧客毎に関係付けて保存する緯度経度情報記憶ステップと、この緯度経度情報記憶ステップで記憶された顧客毎に、その所在地の緯度経度データに対応する前記分割地図データを検索し、当該緯度経度に顧客を識別するマークを付して、前記分割地図データ記憶手段に戻す顧客所在地マークステップと、前記顧客所在地マークステップで前記マークが付された各分割地図データ選択して、前記メインコンピュータに接続される出力表示手段に、所定の縮尺及びサイズで出力する表示出力ステップとからなることを特徴とするものである。
【発明の効果】
【００１４】
本発明によれば、顧客を訪問して営業・業務を行う担当者毎に、訪問を予定する複数の顧客の位置を、郵便番号と「丁目・番地・戸番」の小字データの簡便な入力操作で、携帯端末機器の表示部より大きくて、見やすい所定サイズ紙面の印刷物により提示するので、周辺のランドマークと対比し易く、顧客位置の確認が容易である。
【００１５】
さらに、同一地図の区分に複数の対象顧客の居所がある場合は、それらが同一地図に示されて、入力した顧客数以下の枚数の地図で提示されて、煩雑にならない効果がある。
【００１６】
また、携行する端末処理機器を不要とし、更に地図検索システムのアプリケーションソフトの使用権限も、営業事務所に設置するものだけであり、設備コストを大幅に削減して、顧客の居住位置情報が適切に、業務担当者に提示できる効果が有る。さらに、対象の顧客のデータ入力が郵便番号と小字データだけで、操作が簡便であると共に、顧客の位置が記載されている地図のみが提示できるので、地域のすべての地図が掲載される書籍地図のように嵩張ることなく携行が容易となる利点もある。
【発明を実施するための最良の形態】
【００１７】
以下、本発明の2つの実施形態について図面を用いて説明する。
【００１８】
図１は、本発明の顧客地図システムの第１の実施形態を示す構成図、及びその作動の概略を示すフロー図である。
【００１９】
本実施形態は、図１（ａ）に示すように、地図データを処理する地図検索システム１１と、営業所の担当者が使用する複数のパーソナルコンピュータ１２ａ〜１２ｎと、資料の地図印刷を行うプリンタ１３と、図示していないサーバが構築し、これ等の機器をデジタル接続するＬＡＮ接続１５とから構成される。なお、この構成は、地図検索システム１１がクライアントサーバ形式のネットワークの一部に組み込まれることであり、地図検索システム１１がサーバに併設される場合も本実施形態の構成と同等である。
【００２０】
また、本実施形態に装備される地図検索システム１１には、住宅地図の地図イメージデータ及び地図緯度経度テーブルを含む地図データベースを備え、郵便番号に対応する大字名のテーブルである郵便番号データベースなどを具備する地図表示システムにより構成されている。
【００２１】
上述の構成による本実施形態の作動の概略は、図１（ｂ）のフロー図に示すように、先ずステッップＳ１１で、訪問営業或いは配達の依頼伝票や、顧客台帳から、訪問先顧客の所在住所の郵便番号（大字）と字丁目・番地・戸番（小字番号）を訪問先情報として得る。
【００２２】
次のステップＳ１２で、これ等の訪問先情報を入力データとして、地図検索する地図システムに入力セッティングする。更に、ステップＳ１３で、訪問先の顧客の所在場所が含まれる地図データを確定し、これをステップＳ１４で印刷出力する手順で行われる。
【００２３】
本実施形態の作用・動作の詳細を、図２乃至図4のフロー図或いは表示例を用いて説明する。
【００２４】
訪問する担当者が、先ず、依頼伝票や顧客台帳を見て、当日の訪問する顧客を確認し、例えばパーソナルコンピュータ１２ａから、これの表示部に表示される図４に示す訪問先入力画面により、担当者が訪問を予定する顧客の所在地・住所を入力する。顧客の所在地・住所である訪問先情報として、「郵便番号」と「丁目・番地・戸番」が使用され、例えば「１００−２３４５」と「２−１３−６」の形式でこれが入力される。この訪問先情報の入力が完了すると、ＬＡＮ接続しているサーバにアクセスし、サーバの提供メニューの一つである本実施形態の顧客地図システムをアクセスして、この訪問先情報の内容を転送する。
【００２５】
次に、この居所・住所の訪問先情報が転送されたサーバで行われる顧客情報緯度経度のリスト作成までの詳細を、図２に示すフロー図を用いて説明する。
【００２６】
先ず、ステップＳ２１で、担当者がパーソナルコンピュータから、図４に示す訪問先入力画面で作成し、転送されてきた訪問先情報の1顧客の郵便番号欄４１ａ、４１ｂデータを読み込む。この読み込み入力された郵便番号は、ステップＳ２２で地図システムの地図データベースに備えられる郵便番号データベースＤ２１に照合・検索され、ステップＳ２３で該当する大字名が判定される。大字名が判定されない場合には、ステップＳ２２に戻して、再入力を行なう。
【００２７】
次に、ステップＳ２４で、先の訪問先入力画面の丁目、番地欄４２に入力されたハイフン（−）で繋げられた丁目、番地、戸番（小字）の数値（例えば、２−１３−６の字列から、２、１３、６の数値）を、訪問先情報のこの顧客の小字データ欄から読み取り、入力する。さらにステップＳ２５で、同じく地図システムの地図データベースＤ２２に備えられる地図緯度経度テーブルに、この入力された小字データを照合、検索し、当該の住戸があるか判定される。当該の住戸が無い場合は、ステップＳ２４に戻し、再入力を行なう。
【００２８】
ステップＳ２５で、この住戸が判定されると、次のステップＳ２６で、地図緯度経度テーブルからこの丁目・番地・戸番に対応する緯度経度が検索、読み出されて、訪問先情報のこの顧客の地図位置欄に、その緯度経度の数値が記録された顧客緯度経度情報Ｄ２４が作成される。
【００２９】
さらに、ステップＳ２７で、次の顧客の郵便番号を入力するステップＳ２１へ戻り、訪問先情報にリストアップされた顧客全部に付いて所在地の緯度経度が判定、記録されるまで繰り返されて、顧客緯度経度情報Ｄ２４の作成が終了する。
【００３０】
作成が終了した顧客緯度経度のファイルデータは、地図システム１１が作動するサーバコンピュータに記憶保存されて、図１（ｂ）に示すステップＳ１３で読み出されて、顧客位置を示す分割地図のイメージデータの作成が行なわれ、さらにステップＳ１４の地図印刷をプリンタ１３で行なう手順へ進められる。
【００３１】
次に、このステップＳ１３で行われる手順の詳細を、図３のフロー図で示す。
【００３２】
図2に示すフローにより顧客緯度経度情報Ｄ２４の作成が完了すると、先ずステップＳ３１で、地図システムの地図データベースから、予め特定される業務領域がある場合、例えばこの営業所或いは事業所の管轄地域、又は担当者の担当地域などの限定がある場合に、当該地域の地図データを抽出する。
【００３３】
更に、ステップＳ３２で、この業務領域を、予め設定している地図縮尺で例えば印刷などの表示出力する紙面サイズに対応し、マトリックス状に分割を行ない、それぞれを分割後地図データＤ３１として一時保存する。ステップＳ３３で、これ等の分割後地図データの１紙面データを呼び出す。
【００３４】
次のステップＳ３４において、先の図２の手順で作成し、転送された顧客緯度経度情報Ｄ２４に記載された顧客毎に、その住戸の緯度経度データの１件を読み込み、ステップS３５で、この経度緯度を含む分割後地図の地図イメージデータを検索する。当該緯度経度が検索されなかった場合は、次の分割後地図データの検索をするために、ステップS３３に戻り、次の分割地図の地図イメージデータを読み込んで、再検索を行なう。
【００３５】
一方、当該緯度経度がステップＳ３５で検索された分割後地図イメージデータに対し、ステップＳ３６で、顧客の住戸にマークを付けて、分割後地図データへ戻す。さらに、この分割後イメージデータを識別する地図番号、或いは分割マトリックス番地が、印刷地図リストに記録される。
【００３６】
ステップＳ２７で、顧客緯度経度情報Ｄ２４に記載された全ての顧客の緯度経度に対して検索が行なわれたかを判定する。即ち、未検索の顧客が有る場合は、ステップＳ３４に戻って顧客緯度経度の次の顧客の緯度経度を読み込み、順次、地図検索、住戸にマーク、印刷地図リストの記録を行ない、顧客緯度経度情報Ｄ２４の全ての緯度経度に対応する印刷地図リストの記録が行なわれて、顧客の所在・住所を示す地図イメージデータ（印刷地図リスト）を得て、分割地図データ作成を終る。
【００３７】
顧客緯度経度情報Ｄ２４の全ての顧客に対する地図検索が終了すれば、顧客地図システムは、図１（ｂ）のステップＳ１４で、印刷地図リストにリストされる分割後地図データの地図紙面データを、順次予め設定した紙面サイズ、縮尺、例えばタテＢ４版で１／１５００の縮尺でプリンタ１３により印刷出力する。印刷結果の例を図５に示す。同図のマーク５１ａ、５１ｂは顧客の所在を示す。
【００３８】
この印刷出力された顧客位置のマークが付された分割地図、例えば図５を、訪問営業或いは集配業務の担当者が持参して、顧客の所在位置を探し出すのに利用することができる。
【００３９】
なお、訪問する顧客数が少なく、印刷を要しない場合は、操作をしているコンピュータの表示画面にぞれぞれの地図を表示して、顧客の居所の場所を確認してもよいことは言うまでもない。
【００４０】
本実施形態によれば、一式の地図検索システムを複数の担当者が利用することができるので、設備コストが抑えられると共に、訪問する顧客に対して限定した紙面地図を準備することができて、携帯移動端末型地図装置のように嵩張らず、その操作に付いての習熟も必要が無く簡便で、見やすい紙面サイズの大きさの適切な地図情報を提供できる効果を有する。
【００４１】
さらに、本実施形態では、ステップＳ１２で、顧客の住居情報として入力される郵便番号、及び丁目・番地・戸番を検索して、その緯度経度データが地図情報リストとして予め作成される（図２のステップＳ２６）。従来の地図検索システムでは、ヒューマンインタフェース（表示画面）を介する会話形式の入力データ確認、即ち郵便番号と大字名の実名の対比確認や、追加入力、即ち丁目、番地、住戸番号を画面に表示された数値の選択で入力するなど、表示の確認とデータの入力を数度繰り返す煩雑で時間のかかる手順が含まれているが、本実施形態では自動的に処理され（ステップＳ〜ステップＳ２７）、操作が簡単で、それに要する時間も短縮される。したがって、本実施形態では、この処理による地図情報リストの緯度経度データを参照して、該当地図の検索が直ちに行なわれるので、検索時間が短く、即座に地図画面を表示することができる利点もある。
【００４２】
次に、ＬＡＮ接続を設置せずに行なわれる本発明の第２の実施形態に付いて、図６及び図７を用いて説明する。
【００４３】
前述の第１の実施形態が、ＬＡＮ接続により担当者用パーソナルコンピュータや顧客地図システム、プリンタがネットワーク接続される営業所で実施されるのに対し、本発明の第２の実施形態は、パーソナルコンピュータなどにＬＡＮ接続が施されていない、規模の小さな営業所或いは事業所で運用する顧客の所在・住所位置を適切に提示・周知させる顧客地図システムである。本実施形態の構成を図６（ａ）に、システムフローを同図（ｂ）に示す。
【００４４】
図６（ａ）に示すように第２の実施形態の構成は、表示装置６１ａを備え、顧客地図システムアプリーケーションがインストールされた地図印刷コンピュータ６１と、この地図印刷コンピュータ６１からの地図データを印刷するプリンタ６３と、担当者がそれぞれ使用するパーソナルコンピュータ６２ａ〜６２ｎと、スニーカー接続する媒体、例えばフロッピー（登録商標）ディスク６４ａ〜６４ｎとからなる。さらに、パーソナルコンピュータ６２ａ〜６２ｎには、顧客地図システムのアプリケーションの一部である顧客リストアプリケーションがインストールされており、訪問を予定する顧客を、担当者が顧客リストにリストアップし、これを記録したフロッピー（登録商標）ディスク６４ａ〜６４ｎ等の媒体を介して地図印刷コンピュータ６１の顧客地図システムアプリーケーションへ入力する。
【００４５】
次に、本発明の第２の実施形態の動作、作用を、図６（ｂ）に示すフロー図を用いて説明する。
【００４６】
先ず、ステップＳ６１で依頼伝票や顧客台帳を見て、担当者が予定や顧客の情報を得る。次に、パーソナルコンピュータ６２ａ〜６２ｎの何れかを使用して、訪問する顧客のリストである訪問先情報をステップＳ６２で作成する。この訪問先情報の作成・入力には、例えばパーソナルコンピュータ６２ａであれば、これにインストールされている顧客リストアプリケーションにより、図４に示される顧客の郵便番号、及び丁目・番地・戸番を入力する画面が表示され、当該事項データをそれぞれの指定欄に入力する。訪問を予定する全ての顧客のデータを入力し終えると、画面内のアイコンスイッチ「ＦＤ保存」をクリックして、作成した訪問先情報をフロッピー（登録商標）ディスク６４ａに記録保存する。
【００４７】
次に、ステップＳ６３で、このフロッピー（登録商標）ディスク６４ａをパーソナルコンピュータ６２ａから取り外し、地図印刷コンピュータ６１にセットする（スニーカーネットワークの接続、転送が行われる）。さらに、記録されている訪問先情報が出力され、顧客地図システムに読み込まれる。
【００４８】
ステップＳ６４では、読み込まれた訪問先情報の顧客毎に、郵便番号（大字名）、及び丁目・番地・戸番（小字番号）を取り込んで、図２に示すフローの処理が成されて、各顧客の所在地の情報を郵便番号データベースＤ２１、地図データベースＤ２２に照会し、各顧客の住戸の顧客緯度経度情報Ｄ２４が作成される。
【００４９】
さらに、ステップＳ６５では、図３に示すフローの処理が行なわれて、各顧客の所在地が含まれる分割後の地図データが作成され、所定の縮尺、サイズの紙面印刷する各分割後地図データＤ３２が作成される。分割後地図データＤ３２が作成されると、地図印刷コンピュータ６１の表示装置６１ａに図７に示すような画面表示が行われて、入力された顧客の一覧リスト７１及び指定した顧客情報欄７２の顧客の所在マークを示すマーク７４を含む地図データ７３が表示される。なお、図７に示す画面表示は、顧客データの郵便番号及び丁目・番地・戸番を、地図印刷コンピュータ６１から入力する場合にも利用され、住所入力部７４のそれぞれの欄に入力して行うこともできる。
【００５０】
この作成された各分割後地図データが、ステップＳ６６でプリンタ６３により紙面、例えばタテＢ４版に印刷されて、例えば図５に示すように出力される。
【００５１】
この印刷出力された顧客位置のマークが付された分割地図（例えば図５）を、訪問営業或いは集配業務の担当者が持参して、訪問対象の顧客の所在位置を探し出すのに利用することができる。
【００５２】
本実施形態によれば、ＬＡＮ接続の設備されていない担当者用パーソナルコンピュータと地図検索システムの本体アプリケーションがインストールされた地図検索コンピュータとの間で、これ等のコンピュータに共通の形式で設定した顧客リストデータを媒体として地図検索のデータ入力ができるので、一式の地図検索システムを複数の担当者が利用することができる。これにより、設備コストを抑えて、訪問対象の顧客居住位置を印した紙面地図を準備することができて、携帯移動端末型地図装置のように嵩張らず、その操作に付いての習熟を要しない簡便で、適切な地図情報を印刷物で提供できる効果がある。
【図面の簡単な説明】
【００５３】
【図１】第１の実施形態を示す構成図、及びその作動の概略を示すフロー図。
【図２】顧客住所の情報入力から地図情報リスト作成までを示すフロー図。
【図３】地図情報リストから分割地図データ検索までを示すフロー図。
【図４】担当者のコンピュータに表示される訪問先データ入力画面の表示例。
【図５】顧客住戸をマークした分割地図データの画面印刷例。
【図６】第２の実施形態を示す構成図、及びその作動の概略を示すフロー図。
【図７】顧客情報を入力する地図システムコンピュータの入力画面の表示例。
【符号の説明】
【００５４】
１１・・・地図検索システム（サーバ）、
１２ａ〜１２ｎ、６２ａ〜６２ｎ・・・パーソナルコンピュータ、
１３、６３・・・プリンタ、
１５・・・ＬＡＮ接続、
５１ａ、５１ｂ、７５・・・顧客所在地マーク、
６１・・・顧客地図システムの地図印刷コンピュータ、
６１ａ・・・表示装置、
６４ａ〜６４ｎ・・・フロッピー（登録商標）ディスク（媒体）、
７１・・・顧客の一覧リスト、
７２・・・顧客情報欄、
７３・・・地図データの表示。
【００５５】
７４・・・住所入力部。
【図１】
2005266698.tif 000003
【図２】
2005266698.tif 000004
【図３】
2005266698.tif 000005
【図６】
2005266698.tif 000006
【図４】
2005266698.tif 000007
【図５】
2005266698.tif 000008
【図７】
2005266698.tif 000009